(57)【要約】      （修正有）【課題】衣類のエッジを保護するための帯状材料を提供する。【解決手段】帯状材料１０は、対向する２つの長辺を有する本体部１１と、本体部の１方の長辺からそれぞれ延伸する第１の延伸部１２と、第２の延伸部１３と、を備え、第１の延伸部及び第２の延伸部は、長辺に平行する帯状物であり、第１の延伸部は、第２の延伸部と対面する第１の側及び第１の側とは反対の第２の側を有し、第１の延伸部は、衣類２０の少なくとも一部のエッジ１５に付接され、少なくとも第２の側においてエッジを覆わず、第２の延伸部は、第１の延伸部の第１の側の少なくとも一部１７、衣類の少なくとも一部のエッジ１５、及び衣類の少なくとも一部のエッジに近接する領域２１を覆う。【選択図】図５Ｂ
0003215160.tif 000002
【実用新案登録請求の範囲】
【請求項１】
対向する２つの長辺を有する本体部と、
前記本体部の１つの長辺から延伸する第１の延伸部と、
前記本体部の前記１つの長辺から延伸する第２の延伸部と、を備え、前記第１の延伸部及び前記第２の延伸部は、前記１つの長辺に平行する帯状物であり、前記第１の延伸部は、前記第２の延伸部と対面する第１の側及び前記第１の側とは反対の第２の側を有する衣類のエッジを保護するための帯状材料であって、
前記第１の延伸部は、前記衣類の少なくとも一部のエッジに付接されることに適し、前記第１の延伸部は、少なくとも前記第２の側において前記少なくとも一部のエッジを覆わず、前記第２の延伸部は、前記第１の延伸部の第１の側の少なくとも一部、前記少なくとも一部のエッジ、及び前記衣類の前記少なくとも一部のエッジに近接する領域を覆うことに適する
衣類のエッジを保護するための帯状材料。
【請求項２】
前記第２の延伸部の第１の部分は、前記第１の延伸部の第１の側の少なくとも一部に付接されることに適し、前記第２の延伸部の第２の部分は、前記衣類の前記少なくとも一部のエッジに近接する領域に付接されることに適する請求項１に記載の帯状材料。
【請求項３】
前記第２の延伸部は、バインダーにより前記第１の延伸部の第１の側の少なくとも一部及び前記衣類の前記少なくとも一部のエッジに近接する領域に付接されることに適する請求項２に記載の帯状材料。
【請求項４】
少なくとも前記第１の延伸部の前記第２の側において、前記衣類の前記少なくとも一部のエッジは、前記第１の延伸部のエッジに隣接するが前記第１の延伸部のエッジを覆わない請求項１に記載の帯状材料。
【請求項５】
前記第１の延伸部は、シームレスな接続方式により前記衣類の前記少なくとも一部のエッジに付接されることに適する請求項１に記載の帯状材料。
【請求項６】
前記第１の延伸部は、さらに縫着により前記衣類の前記少なくとも一部のエッジに付接されることに適する請求項５に記載の帯状材料。
【請求項７】
前記帯状材料は、弾性を有する請求項１に記載の帯状材料。
【請求項８】
前記帯状材料は、ゴム紐を含む請求項７に記載の帯状材料。
【請求項９】
前記第１の延伸部及び前記第２の延伸部のうちの少なくとも一方は、前記本体部の前記１つの長辺に付接されている請求項１に記載の帯状材料。
【請求項１０】
前記第１の延伸部及び前記第２の延伸部のうちの少なくとも一方は、前記本体部と一体的に形成されている請求項１に記載の帯状材料。
【請求項１１】
前記本体部は、複数の材料層を含む請求項１に記載の帯状材料。
【請求項１２】
前記第１の延伸部は、前記本体部の第１の材料層から延伸し、前記第２の延伸部は、前記本体部の第２の材料層から延伸する請求項１１に記載の帯状材料。
【請求項１３】
前記本体部の前記１つの長辺に垂直な方向において、前記第１の延伸部の長さは、前記第２の延伸部の長さより小さい請求項１に記載の帯状材料。
【請求項１４】
前記衣類は、ブラジャー、Ｔシャツ、ズボン、パンツ及びスポーツシャツのうちのいずれかである請求項１に記載の帯状材料。
【考案の詳細な説明】
【技術分野】
【０００１】
本願は、服装製造分野に関し、具体的には、衣類のエッジを保護するための帯状材料及び方法に関する。
【背景技術】
【０００２】
通常の衣類製品において、エッジの保護処理は、一般的にへり縫い、パイピング縫付けなどの伝統的な縫製方法を採用する。縫製処理を経た衣類のエッジは、縫製位置において顕著な厚い凸起を有するので、着用する快適さに影響を与える傾向がある一方で、縫製位置は、縫着によって耐引張性が悪くなり、反発弾性が悪いとともに、見栄えが損なわれる。さらに、縫製糸の存在は、皮膚に対する摩擦を増やした。
【考案の概要】
【０００３】
本願は、上述した技術課題のうちの１つ又は複数を解決するために、衣類のエッジを保護するための帯状材料及び方法を提供することを旨とする。
【０００４】
１つの局面によれば、本願は、対向する２つの長辺を有する本体部と、前記本体部の１つの長辺から延伸する第１の延伸部と、前記本体部の前記１つの長辺から延伸する第２の延伸部と、を備え、前記第１の延伸部及び前記第２の延伸部は、前記１つの長辺に平行する帯状物であり、前記第１の延伸部は、前記第２の延伸部と対面する第１の側及び前記第１の側とは反対の第２の側を有する衣類のエッジを保護するための帯状材料であって、前記第１の延伸部は、前記衣類の少なくとも一部のエッジに付接されることに適し、前記第１の延伸部は、少なくとも前記第２の側において前記少なくとも一部のエッジを覆わず、前記第２の延伸部は、前記第１の延伸部の第１の側の少なくとも一部、前記少なくとも一部のエッジ、及び前記衣類の前記少なくとも一部のエッジに近接する領域を覆うことに適する衣類のエッジを保護するための帯状材料を提供する。
【０００５】
例示的な実施形態において、前記第２の延伸部の第１の部分は、前記第１の延伸部の第１の側の少なくとも一部に付接されることに適し、前記第２の延伸部の第２の部分は、前記衣類の前記少なくとも一部のエッジに近接する領域に付接されることに適する。
【０００６】
例示的な実施形態において、前記第２の延伸部は、バインダーにより前記第１の延伸部の第１の側の少なくとも一部及び前記衣類の前記少なくとも一部のエッジに近接する領域に付接されることに適する。
【０００７】
例示的な実施形態において、少なくとも前記第１の延伸部の前記第２の側において、前記衣類の前記少なくとも一部のエッジは、前記第１の延伸部のエッジに隣接するが前記第１の延伸部のエッジを覆わない。
【０００８】
例示的な実施形態において、前記第１の延伸部は、シームレスな接続方式により前記衣類の前記少なくとも一部のエッジに付接されることに適する。
【０００９】
例示的な実施形態において、前記第１の延伸部は、さらに縫着により前記衣類の前記少なくとも一部のエッジに付接されることに適する。
【００１０】
例示的な実施形態において、前記帯状材料は、弾性を有する。
【００１１】
例示的な実施形態において、前記帯状材料は、ゴム紐又はゴムを含む。
【００１２】
例示的な実施形態において、前記第１の延伸部及び前記第２の延伸部のうちの少なくとも一方は、前記本体部の前記１つの長辺に付接されている。
【００１３】
例示的な実施形態において、前記第１の延伸部及び前記第２の延伸部のうちの少なくとも一方は、前記本体部と一体的に形成されている。
【００１４】
例示的な実施形態において、前記本体部は、複数の材料層を含む。
【００１５】
例示的な実施形態において、前記第１の延伸部は、前記本体部の第１の材料層から延伸し、前記第２の延伸部は、前記本体部の第２の材料層から延伸する。
【００１６】
例示的な実施形態において、前記本体部の前記１つの長辺に垂直な方向において、前記第１の延伸部の長さは、前記第２の延伸部の長さより小さい。
【００１７】
例示的な実施形態において、前記衣類は、ブラジャー、Ｔシャツ、ズボン、パンツ及びスポーツシャツのうちのいずれかである。
【００１８】
別の局面によれば、本願は、対向する２つの長辺を有する本体部と、そのうちの１つの長辺から延伸する第１の延伸部及び第２の延伸部とを備え、前記第１の延伸部及び前記第２の延伸部は、前記１つの長辺に平行する帯状物であり、前記第１の延伸部は、前記第２の延伸部と対面する第１の側及び前記第１の側とは反対の第２の側を有する帯状材料であって、前記第１の延伸部は、前記衣類の前記少なくとも一部のエッジに付接されており、前記第１の延伸部は、少なくとも前記第２の側において前記衣類の前記少なくとも一部のエッジを覆わない帯状材料の前記第１の延伸部を前記衣類の少なくとも一部のエッジに付接することと、前記第２の延伸部の第１の部分を前記第１の延伸部の前記第１の側の少なくとも一部に付接するとともに、前記第２の延伸部の第２の部分を前記衣類の前記少なくとも一部のエッジに近接する領域に付接することにより、前記第２の延伸部で前記第１の延伸部の前記第１の側の少なくとも一部、前記衣類の前記少なくとも一部のエッジ、及び前記衣類の前記少なくとも一部のエッジに近接する領域を覆うことと、を備える衣類のエッジを保護するための方法を提供する。
【００１９】
例示的な実施形態において、前記第１の延伸部は、シームレスな接続方式により前記衣類の前記少なくとも一部のエッジに付接されている。
【００２０】
例示的な実施形態において、当該方法は、シームレスな接続方式により前記第１の延伸部を前記衣類の前記少なくとも一部のエッジに付接する前に、縫着により前記第１の延伸部を前記衣類の前記少なくとも一部のエッジに付接することをさらに含む。
【００２１】
例示的な実施形態において、少なくとも前記第１の延伸部の前記第２の側において、前記衣類の前記少なくとも一部のエッジは、前記第１の延伸部のエッジに隣接するが前記第１の延伸部のエッジを覆わない。
【００２２】
例示的な実施形態において、前記帯状材料は、弾性を有する。
【００２３】
例示的な実施形態において、前記第１の延伸部及び前記第２の延伸部のうちの少なくとも一方は、前記本体部と一体的に形成されている。
【００２４】
例示的な実施形態において、前記第１の延伸部及び前記第２の延伸部のうちの少なくとも一方は、前記本体部の前記１つの長辺に付接されている。
【００２５】
例示的な実施形態において、前記本体部の前記１つの長辺に垂直な方向において、前記第１の延伸部の長さは、前記第２の延伸部の長さより小さい。
【００２６】
本願に係る衣類のエッジを保護するための帯状材料及び方法によれば、衣類のエッジに縫製糸を有しないとともに厚くないので、着用する快適さを向上させた。
【図面の簡単な説明】
【００２７】
以下の添付図面における非制限的な実施例に対する詳細な説明を解読して参照することにより、本願の他の特徴、目的及び利点はより明らかになる。
【図１】本願の例示的な実施形態による帯状材料の斜視図を示す。
【図２Ａ】本願の例示的な実施形態による帯状材料の断面図を示す。
【図２Ｂ】本願の例示的な実施形態による帯状材料の断面図を示す。
【図３】本願の例示的な実施形態による帯状材料にバインダーを塗布して縫製により衣類のエッジとの位置決めを行う断面模式図を示す。
【図４Ａ】本願の例示的な実施形態により、縫製糸を残さずに図３に示す帯状材料と衣類のエッジとを超音波接合する断面模式図を示す。
【図４Ｂ】本願の例示的な実施形態により、縫製糸を残すように図３に示す帯状材料と衣類のエッジとを超音波接合する断面模式図を示す。
【図５Ａ】本願の１つの例示的な実施形態による帯状材料の第２の延伸部と第１の延伸部及び衣類のエッジとが接着された後の斜視模式図を示す。
【図５Ｂ】図５Ａに示す例示的な実施形態により、縫製糸を残さずに帯状材料の第２の延伸部と第１の延伸部及び衣類のエッジとが接着された後の断面図を示す。
【図６Ａ】本願の別の例示的な実施形態による帯状材料の第２の延伸部と第１の延伸部及び衣類のエッジとが接着された後の斜視模式図を示す。
【図６Ｂ】図６Ａに示す例示的な実施形態により、縫製糸を残さずに帯状材料の第２の延伸部と第１の延伸部及び衣類のエッジとが接着された後の断面図を示す。
【図７Ａ】図５Ａに示す例示的な実施形態により、縫製糸を残すように帯状材料の第２の延伸部と第１の延伸部及び衣類のエッジとが接着された後の断面図を示す。
【図７Ｂ】図６Ａに示す例示的な実施形態により、縫製糸を残すように帯状材料の第２の延伸部と第１の延伸部及び衣類のエッジとが接着された後の断面図を示す。
【図８】本願の例示的な実施形態による帯状材料の断面模式図を示す。
【図９】本願の別の例示的な実施形態による帯状材料の断面模式図を示す。
【図１０】本願の例示的な実施形態によるＴシャツを示す。
【図１１】本願の例示的な実施形態によるズボンを示す。
【図１２】本願の例示的な実施形態によるブラジャーを示す。
【図１３】本願の例示的な実施形態によるパンツを示す。
【図１４】本願の例示的な実施形態によるスポーツシャツを示す。
【考案を実施するための形態】
【００２８】
以下、添付図面と実施例を組み合わせて本願をさらに詳しく説明する。ここで述べられる具体的な実施例は、関連する発明を解釈するためのものに過ぎず、この発明を限定するためのものではないことを理解できる。また、さらに説明しておかなければならないのは、説明の便宜上、添付図面には、発明に関する部分のみを示すことである。
【００２９】
説明しておかなければならないのは、矛盾しない限り、本願における実施例及び実施例における特徴は、互いに組み合わせることができることである。以下、添付図面を参照して実施例を組み合わせることで本願を詳しく説明する。
【００３０】
図１を参照し、本願の例示的な実施形態による帯状材料の斜視図が示される。図１に示すように、帯状材料１０は、本体部１１と、本体部１１の一方側からそれぞれ延出する第１の延伸部１２及び第２の延伸部１３とを含む。本体部１１は、対向する２つの長辺１８及び１９を有するとともに、長辺１８及び１９と交差する端部４１及び４２を有する。第１の延伸部１２及び第２の延伸部１３は、帯状材料１０の長辺１９から延伸し、長辺１９に平行する帯状物である。第１の延伸部１２は、第２の延伸部１３と対面する第１の側３１及び第１の側３１とは反対の第２の側３２を有する（図２Ａを参照）。第１の延伸部１２は、衣類２０の少なくとも一部のエッジ１５に付接されることに適し、少なくともその第２の側３２において衣類２０の前記少なくとも一部のエッジ１５を覆わない。第２の延伸部１３は、第１の延伸部１２の第１の側３１の少なくとも一部１７（図５Ｂを参照）、衣類２０の前記少なくとも一部のエッジ１５、及び衣類２０の前記少なくとも一部のエッジ１５に近接する領域２１（図５Ｂを参照）を覆うことに適する。これにより、少なくとも第１の延伸部１２の第２の側３２において、衣類２０の前記少なくとも一部のエッジ１５は、第１の延伸部１２のエッジに隣接するが、第１の延伸部１２のエッジを覆わない。
【００３１】
例示的な実施形態において、第１の延伸部１２、第２の延伸部１３及び本体部１１の長辺１９は、衣類の少なくとも一部のエッジと平行して配置されている。第１の延伸部１２及び第２の延伸部１３のうちの少なくとも一方は、本体部１１とは同じ又は異なる材料で製造され、及び／又は同じ又は異なる色を有してもよい。例示的な実施形態において、本体部１１の厚さは、第１の延伸部１２と第２の延伸部１３の厚さの和にほぼ等しい。
【００３２】
図２Ａ及び２Ｂは、本願の例示的な実施形態による帯状材料が衣類のエッジに付接される前に帯状材料の側面から見る断面図をそれぞれ示す。図示されるように、本願の例示的な実施形態による帯状材料は、Ｙ形の断面を有し、異なる具体的な構造を有してもよい。例えば、図２Ａには、本体部１１と、本体部１１の長辺１９からそれぞれ延出する第１の延伸部１２及び第２の延伸部１３とで構成された帯状材料１０が示され、また、図２Ｂには、本体部１１’と、本体部１１’の長辺からそれぞれ延出する第１の延伸部１２’及び第２の延伸部１３’とで構成された帯状材料１０’が示される。ここから見れば分かるように、本体部１１及び本体部１１’は、異なる応用に適応するように異なる断面形状を有する。本体部の断面形状は、図２Ａ及び図２Ｂに示される形状に限らず、任意の適当な形状であってもよいと理解すべきである。同様に、第１の延伸部及び第２の延伸部の断面形状は、必要に応じて異なってもよい。
【００３３】
例示的な実施形態によれば、本願による帯状材料は、例えば、ゴム、具体的には、ゴム紐のような弾性材料であってもよい。別の実施形態において、本願による帯状材料は、非弾性材料で製造されてもよい。
【００３４】
別の実施形態において、第１の延伸部及び第２の延伸部のうちの少なくとも一方は、本体部と一体的に形成されてもよく、或いは、適当な接続方式により本体部に接続されてもよい。
【００３５】
例示的な実施形態によれば、第１の延伸部の本体部から離間する一端は、衣類の少なくとも一部のエッジと接続されることに適する。第２の延伸部は、第１の延伸部に向かう一方側にバインダーが塗布されてもよく、第１の延伸部及び衣類の少なくとも一部のエッジと接着されることに適する。例示的な実施形態によれば、第１の延伸部と衣類の少なくとも一部のエッジとを接続しやすいように、まず、第１の延伸部と衣類の少なくとも一部のエッジとを同じ位置に位置決めすることができる。例えば、縫製により第１の延伸部と衣類の少なくとも一部のエッジとを接続することでこの両方を同じ位置に位置決めすることができる。このように接続された第１の延伸部及び衣類の少なくとも一部のエッジには、縫製糸が形成されていてもよい。第１の延伸部と衣類の少なくとも一部のエッジとを接続する前の位置決めは、必須ではないと理解すべきである。別の実施形態において、第１の延伸部と衣類の少なくとも一部のエッジとを接続する前にこのような位置決めを行わない。
【００３６】
図３は、本願の例示的な実施形態による帯状材料にバインダーを塗布して衣類の少なくとも一部のエッジとの位置決め及び接続を行った後の断面図を示す。図示されるように、バインダー１４は、第２の延伸部１３の第１の延伸部１２と対面する一方側に塗布される。第１の延伸部１２と衣類２０の少なくとも一部のエッジは、縫製により同じ位置に位置決めされ、縫製糸１６が形成されている。ここでの衣類の少なくとも一部のエッジは、単層の布材料を含んでもよく、２層又は２層以上の複合材料を含んでもよい。
【００３７】
例示的な実施形態によれば、第１の延伸部と衣類の少なくとも一部のエッジが同じ位置に位置決めされた後、さらに溶接などの処理により第１の延伸部と衣類の前記少なくとも一部のエッジとを接続することができる。例えば、超音波溶接の方式により第１の延伸部と衣類の少なくとも一部のエッジとを接続してもよく、他のシームレスな接続方式によりこの両方を接続してもよい。
【００３８】
超音波溶接処理は、同時に行う超音波カッティング及び溶接を含む。中では、超音波カッティングは、縫製糸１６の内側（即ち、第１の延伸部１２及び衣類２０に近い側）と第１の延伸部１２及び衣類２０との間に実行することができる。この場合、図３及び図４Ａを参照すると、縫製糸１６は、超音波カッティングされた後に除去される。或いは、超音波カッティングは、縫製糸１６の外側（即ち、第１の延伸部１２及び衣類２０から離間する側）において実行してもよい。この場合、図３及び図４Ｂを参照すると、縫製糸１６は、超音波カッティングされた後に残される。図７Ａ及び７Ｂを参照すると、第１の延伸部１２と衣類のエッジ１５との間の溶接並びに第１の延伸部１２及び衣類のエッジ領域２１への第２の延伸部１３の被覆によって、縫製糸１６が超音波カッティングされる際に残されていても、溶接及び被覆を経た後、縫製糸１６は、やはり外部から見られない。
【００３９】
シームレスな接続の後、バインダー１４が第２の延伸部１３の第１の延伸部１２と対面する一方側に塗布される場合、例えば、加熱及び／又は加圧によってバインダー１４を活性化して第２の延伸部１３を第１の延伸部１２及び衣類のエッジ領域２１に接着することにより、第２の延伸部１３が第１の延伸部１２と衣類のエッジ１５との間の接続糸を強固に覆うことができる。バインダー１４は、例えば接着フィルムであってもよい。
【００４０】
第１の延伸部１２と衣類の少なくとも一部のエッジとを接続する後に余分な部分を除去してもよく、縫製糸は、残してもよく、残さなくてもよい。図４Ａは、本願の例示的な実施形態により、縫製糸を残さずに図３に示す帯状材料１０の第１の延伸部１２と衣類２０の少なくとも一部のエッジを超音波接合する断面模式図を示す。図４Ｂは、本願の例示的な実施形態により、縫製糸１６を残すように図３に示す帯状材料１０の第１の延伸部１２と衣類２０の少なくとも一部のエッジを超音波接合する断面模式図を示す。
【００４１】
上述したように、縫製による位置決めは必須ではないので、第１の延伸部１２と衣類の少なくとも一部のエッジに対して縫製による位置決めが行われない場合に、直接溶接（例えば、超音波溶接）の方式により第１の延伸部と衣類の少なくとも一部のエッジとを接続してもよい。
【００４２】
さらに、バインダー又は接着フィルムが塗布される第２の延伸部は、互いに接続された第１の延伸部と衣類の少なくとも一部のエッジに接着されている。例示的な実施形態によれば、第２の延伸部は、口止め糸のほころびを防止するように、第１の延伸部と衣類の少なくとも一部のエッジとの間の接続糸、例えば超音波接合口止め糸を覆うことに適する。図５Ａは、本願の例示的な実施形態による帯状材料１０の第２の延伸部１３と第１の延伸部１２、衣類２０の少なくとも一部のエッジ１５、及び衣類２０の前記少なくとも一部のエッジ１５に近接する領域２１とが接着された後の斜視模式図を示す。図５Ｂは、図５Ａに示す例示的な実施形態により、縫製糸を残さずに帯状材料１０の第２の延伸部１３と第１の延伸部１２及び衣類２０の前記少なくとも一部のエッジとが接着された後の断面図を示す。図５Ａ及び５Ｂは、第１の延伸部１２と衣類２０の前記少なくとも一部のエッジ１５との接続箇所に形成される口止め糸を示し、口止め糸が第２の延伸部１３によって覆われることを示す。
【００４３】
図５Ｂに示すように、例示的な実施形態によれば、第２の延伸部１３の一部は、例えばバインダー１４により第１の延伸部１２の少なくとも一部１７に付接されており、第２の延伸部１３の他の部分は、例えばバインダー１４により衣類２０の前記少なくとも一部のエッジ１５に近接する領域２１に付接されている。第２の延伸部１３の上述した２つの部分は互いに重なっていない。例示的な実施形態において、バインダー１４を採用したが、第２の延伸部１３は、他の適当な方式により第１の延伸部１２の少なくとも一部１７及び衣類２０の前記少なくとも一部のエッジ１５に近接する領域２１に付接されてもよいと理解すべきである。
【００４４】
例示的な実施形態として提供された図５Ａ及び５Ｂには、第１の延伸部１２が内側（即ち、着用者の体に近い側）に位置し、第２の延伸部１３が外側（即ち、着用者の体から離間する側）に位置することが示されるが、別の実施形態において、例えば、図６Ａ及び６Ｂに示すように、第１の延伸部１２が外側に位置し、第２の延伸部１３が内側に位置するようにしてもよいことに注意すべきである。
【００４５】
図６Ａは、別の例示的な実施形態による帯状材料１０の第２の延伸部１３と第１の延伸部１２、衣類２０の少なくとも一部のエッジ１５、及び衣類２０の少なくとも一部のエッジ１５に近接する領域２１とが接着された後の斜視模式図を示し、この図には、第１の延伸部１２が外側に位置し、第２の延伸部１３が内側に位置する。図６Ｂは、図６Ａに示す例示的な実施形態により、縫製糸を残さずに帯状材料１０の第２の延伸部１３と第１の延伸部１２、衣類２０の少なくとも一部のエッジ１５、及び衣類２０の少なくとも一部のエッジ１５に近接する領域２１とが接着された後の断面図を示す。
【００４６】
図７Ａは、図５Ａ及び図５Ｂに示す例示的な実施形態により、縫製糸１６を残すように帯状材料１０の第２の延伸部１３と第１の延伸部１２、衣類２０の少なくとも一部のエッジ１５、及び衣類２０の少なくとも一部のエッジ１５に近接する領域２１とが接着された後の断面図を示す。図７Ｂは、図６Ａ及び図６Ｂに示す例示的な実施形態により、縫製糸１６を残すように帯状材料１０の第２の延伸部１３と第１の延伸部１２、衣類２０の少なくとも一部のエッジ１５、及び衣類２０の少なくとも一部のエッジ１５に近接する領域２１とが接着された後の断面図を示す。ここから見ればわかるように、図５Ｂ及び図６Ｂに対する図７Ａ及び図７Ｂの区別は、第１の延伸部１２と衣類２０の少なくとも一部のエッジ１５との接続箇所には、この両方を接続する縫製糸１６をさらに有する。この縫製糸１６は、第２の延伸部によって覆われるため、縫製糸１６は外に露出することもなく、外部から見られることもない。
【００４７】
例示的な実施形態によれば、図２Ａに示すように、本体部１１の長辺１９に垂直な方向において、超音波カッティングを行う前に、第１の延伸部１２と第２の延伸部１３は、ほぼ同じ又は近い長さを有してもよいことが分かる。また、超音波カッティングを行った後、本体部１１の長辺１９に垂直な方向において、例えば、図４Ａ及び４Ｂに示すように、第１の延伸部１２の長さは、第２の延伸部１３の長さよりも小さく、これにより第２の延伸部１３が第１の延伸部１２と衣類のエッジ部分との間のシームレスな接合箇所を覆うことができる。
【００４８】
例示的な実施形態によれば、帯状材料は、複数の材料層を含んでもよい。例えば、図８は、例示的な実施形態による帯状材料８１０の断面図を示す。図８に示すように、帯状材料８１０は、２つの材料層８１１０及び８１１１を含み、対向する長辺８１８及び８１９を有する。第１の延伸部８１２及び第２の延伸部８１３は、長辺８１９から延伸する。図８に示すように、第１の延伸部８１２及び第２の延伸部８１３は、それぞれ本体部の２つの材料層８１１１及び８１１０と一体的に形成され、即ち、一体式に形成されている。
【００４９】
１つの選択として、第１の延伸部及び第２の延伸部は、本体部と一体的に形成されることなく、適当な接続方式により本体部に接続されてもよい。図９は、別の例示的な実施形態の帯状材料９１０の断面図を示し、この図には、本体部９１１は、対向する２つの長辺９１８及び９１９を有し、第１の延伸部９１２及び第２の延伸部９１３は、長辺９１９において本体部９１１に接続されており、これにより、本体部９１１から延伸するように形成されている。この場合、本体部９１１は、単層又は多層に形成されてもよい。本体部が多層を含む場合、第１の延伸部及び第２の延伸部は、それぞれ本体部の１層又は多層と接続されてもよく、或いは本体部と一体的に形成されてもよい。
【００５０】
第１の延伸部及び／又は第２の延伸部が本体部と一体的に形成される場合、上述した本体部の長辺は、物理上又は実体又は実際の辺ではなく、仮想の辺であってもよい。仮想の辺とは、第１の延伸部及び第２の延伸部は、本体部とは別体の単独なシートのようであるが、実際には本体部とは別体の単独なシートではない場合を指す。第１の延伸部及び第２の延伸部は、この仮想の長辺から延出してもよい。
【００５１】
図１０は、例示的な実施形態によるＴシャツ１０００を示す。Ｔシャツ１０００のエッジ領域１０２０、例えば、襟元、袖口及びすそにおいて、本願の例示的な実施形態による帯状材料１０１０によってＴシャツ１０００のエッジ１０１５を保護する。図示されるように、Ｔシャツ１０００の少なくとも一部のエッジ１０１５を保護するための帯状材料１０１０は、本体部１０１１と、本体部１０１１の１つの長辺から延伸する第１の延伸部１０１２及び第２の延伸部１０１３とを含む。図１０に示す実施形態において、第１の延伸部１０１２は、Ｔシャツ１０００の内側、即ち、身体に近い側に配置されており、第２の延伸部１０１３は、Ｔシャツ１０００の外側、即ち、身体から離間する側に配置されている。第１の延伸部１０１２は、Ｔシャツ１０００の少なくとも一部のエッジ１０１５に付接されており、少なくともＴシャツ１０００の内側においてＴシャツ１０００の少なくとも一部のエッジ１０１５を覆わない。第２の延伸部１０１３は、第１の延伸部１０１２の少なくとも一部、Ｔシャツ１０００の少なくとも一部のエッジ１０１５、及びＴシャツ１０００の少なくとも一部のエッジ１０１５に近接する領域を覆う。
【００５２】
図１１は、例示的な実施形態によるズボン１１００を示す。ズボン１１００のエッジ領域１１２０、例えば、腰回りにおいて、本願の例示的な実施形態による帯状材料１１１０によってズボン１１００のエッジ１１１５を保護する。図示されるように、ズボン１１００の少なくとも一部のエッジ１１１５を保護するための帯状材料１１１０は、本体部１１１１と、本体部１１１１の１つの長辺から延伸する第１の延伸部（図示せず）及び第２の延伸部１１１３とを含む。図１１に示す実施形態において、第１の延伸部は、ズボン１１００の内側、即ち、身体に近い側に配置されており、第２の延伸部１１１３は、ズボン１１００の外側、即ち、身体から離間する側に配置されている。第１の延伸部は、ズボン１１００の少なくとも一部のエッジ１１１５に付接されており、少なくともズボン１１００の内側においてズボン１１００の少なくとも一部のエッジ１１１５を覆わない。第２の延伸部１１１３は、第１の延伸部の少なくとも一部、ズボン１１００の少なくとも一部のエッジ１１１５、及びズボン１１００の少なくとも一部のエッジ１１１５に近接する領域を覆う。図示されていないが、本願の例示的な実施形態による帯状材料は、ズボンのすそ部分のエッジを保護するために用いてもよい。
【００５３】
図１２は、例示的な実施形態によるブラジャー１２００を示す。ブラジャー１２００のエッジ領域１２２０、例えば、ウイングのトップエッジ、アンダーエッジ及びサイドエッジにおいて、本願の例示的な実施形態による帯状材料１２１０によってブラジャー１２００のエッジ１２１５を保護する。図示されるように、ブラジャー１２００の少なくとも一部のエッジ１２１５を保護するための帯状材料１２１０は、本体部１２１１と、本体部１２１１の１つの長辺から延伸する第１の延伸部１２１２及び第２の延伸部（図示せず）とを含む。図１２に示す実施形態において、第１の延伸部１２１２は、ブラジャー１２００の内側、即ち、身体に近い側に配置されており、第２の延伸部は、ブラジャー１２００の外側、即ち、身体から離間する側に配置されている。第１の延伸部１２１２は、ブラジャー１２００の少なくとも一部のエッジ１２１５に付接されており、少なくともブラジャー１２００の内側においてブラジャー１２００の少なくとも一部のエッジ１２１５を覆わない。第２の延伸部は、第１の延伸部１２１２の少なくとも一部、ブラジャー１２００の少なくとも一部のエッジ１２１５、及びブラジャー１２００の少なくとも一部のエッジ１２１５に近接する領域を覆う。
【００５４】
図１３は、例示的な実施形態によるパンツ１３００を示す。パンツ１３００のエッジ領域１３２０、例えば、ウエスト及び太もも周りにおいて、本願の例示的な実施形態による帯状材料１３１０によってパンツ１３００のエッジ１３１５を保護する。図示されるように、パンツ１３００の少なくとも一部のエッジ１３１５を保護するための帯状材料１３１０は、本体部１３１１と、本体部１３１１の１つの長辺から延伸する第１の延伸部１３１２及び第２の延伸部１３１３とを含む。図１３に示す実施形態において、第１の延伸部１３１２は、パンツ１３００の内側、即ち、身体に近い側に配置されており、第２の延伸部１３１３は、パンツ１３００の外側、即ち、身体から離間する側に配置されている。第１の延伸部１３１２は、パンツ１３００の少なくとも一部のエッジ１３１５に付接されており、少なくともパンツ１３００の内側においてパンツ１３００の少なくとも一部のエッジ１３１５を覆わない。第２の延伸部１３１３は、第１の延伸部１３１２の少なくとも一部、パンツ１３００の少なくとも一部のエッジ１３１５、及びパンツ１３００の少なくとも一部のエッジ１３１５に近接する領域を覆う。
【００５５】
図１４は、例示的な実施形態によるスポーツシャツの一例であるスポーツブラジャー１４００を示す。スポーツブラジャー１４００のエッジ領域１４２０、例えば、アンダーバストにおいて、本願の例示的な実施形態による帯状材料１４１０によってスポーツブラジャー１４００のエッジを保護する。図示されるように、スポーツブラジャー１４００の少なくとも一部のエッジを保護するための帯状材料１４１０は、本体部１４１１と、本体部１４１１の１つの長辺から延伸する第１の延伸部（図示せず）及び第２の延伸部１４１３とを含む。図１４に示す実施形態において、第１の延伸部は、スポーツブラジャー１４００の内側、即ち、身体に近い側に配置されており、第２の延伸部１４１３は、スポーツブラジャー１４００の外側、即ち、身体から離間する側に配置されている。第１の延伸部は、スポーツブラジャー１４００の少なくとも一部のエッジに付接されており、少なくともスポーツブラジャー１４００の内側においてスポーツブラジャー１４００の少なくとも一部のエッジを覆わない。第２の延伸部１４１３は、第１の延伸部１３１２の少なくとも一部、スポーツブラジャー１４００の少なくとも一部のエッジ、及びスポーツブラジャー１４００の少なくとも一部のエッジに近接する領域を覆う。
【００５６】
矛盾しない限り、図１〜図９について述べられた任意の技術的特徴及びその組合せは、いずれも図１０〜図１４に述べられた応用に適用すると理解すべきである。また、図１０〜図１４及びその対応する説明は、第１の延伸部が内側に位置することを示して述べたが、これに限られず、第１の延伸部は、外側に位置してもよい。
【００５７】
本願による帯状材料を用いて衣類のエッジを保護することで、衣類が平坦、きれいで、薄い外観を有することできるだけでなく、身体に対する摩擦を低減し、快適さを増やした。弾性材料を用いる場合、さらに良好な弾力及び回復率を有する。
【００５８】
以上の説明は、本願の好ましい実施例及び利用された技術原理に対する説明に過ぎない。当業者は、本願における関連する発明の範囲は、前記技術的特徴の特定の組合せによってなされた技術方案に限らず、また、上述した発明の構想から逸脱しない限り、前記技術的特徴又はその同等の特徴を任意に組み合わせることで形成された他の技術方案、例えば、前記特徴と本願に開示されている（それに限らず）類似する機能を有する技術的特徴を互いに置き換えることで形成された技術方案も含むべきであると理解すべきである。
【図１】
0003215160.tif 000003
【図２Ａ】
0003215160.tif 000004
【図２Ｂ】
0003215160.tif 000005
【図３】
0003215160.tif 000006
【図４Ａ】
0003215160.tif 000007
【図４Ｂ】
0003215160.tif 000008
【図５Ａ】
0003215160.tif 000009
【図５Ｂ】
0003215160.tif 000010
【図６Ａ】
0003215160.tif 000011
【図６Ｂ】
0003215160.tif 000012
【図７Ａ】
0003215160.tif 000013
【図７Ｂ】
0003215160.tif 000014
【図８】
0003215160.tif 000015
【図９】
0003215160.tif 000016
【図１０】
0003215160.tif 000017
【図１１】
0003215160.tif 000018
【図１２】
0003215160.tif 000019
【図１３】
0003215160.tif 000020
【図１４】
0003215160.tif 000021